(57)【特許請求の範囲】
【請求項１】
レンズ装置は、
前記レンズ装置を制御する制御手段と、
前記制御手段に指令を入力する指令入力手段と、
前記制御手段に接続された通信手段であって、前記レンズ装置に取り付け可能なカメラ装置と通信する通信手段と、
前記レンズ装置の設定項目に対する設定値を記憶する記憶手段と、
を有し、
前記制御手段は、
前記指令入力手段からの指令に従い、通常の撮影機能を維持したままで、前記通信手段を制御する通常モードと、
前記指令入力手段からの指令に従い、通常の撮影機能を機能させない状態で、前記記憶手段に記憶されている設定項目の設定値に基づいて、前記レンズ装置の設定を確認するための情報を前記カメラ装置に出力するように前記通信手段を制御し、また、前記指令入力手段からの指令によって前記設定値を変更することができる、設定確認モードと、
で、前記レンズ装置を制御することが可能である、
ことを特徴とするレンズ装置。
【請求項２】
前記通信手段はシリアル通信手段であり、
前記設定確認モードにおいて、前記シリアル通信手段の通信の切断と接続を行う、ことを特徴とする請求項１に記載のレンズ装置。
【請求項３】
前記カメラ装置は表示手段を有し、前記通信手段を用いて前記レンズ装置から取得した情報を該表示手段に表示する、ことを特徴とする請求項１又は２に記載のレンズ装置。
【請求項４】
設定確認モードにおいて、前記制御手段は、前記指令入力手段の操作によって、前記記憶手段に記憶されている設定項目を選択し、前記選択された設定項目の設定値に基づいて前記通信手段を制御し、また、前記指令入力手段の操作によって前記選択された設定項目の設定値を変更することができる、ことを特徴とする請求項１乃至３のいずれか１項に記載のレンズ装置。
【請求項５】
撮像素子と、被写体からの光を前記撮像素子に導く請求項１乃至４のいずれか１項に記載のレンズ装置と、を有する撮像装置。
【発明の詳細な説明】
【技術分野】
【０００１】
本発明は、レンズ装置に関し、該レンズ装置の設定項目毎の設定値を確認できるレンズ装置および該レンズ装置を有する撮像装置に関する。
【背景技術】
【０００２】
従来、レンズシステム個体毎の設定値を確認するために、レンズシステム本体にディスプレイ等の表示手段を設ける方法が知られている。
例えば、特許文献１では、情報を表示する表示手段を設けたテレビレンズが開示されている。また、特許文献２では、機能の有効／無効が切換った際、ズームレンズを自動的に所定の位置に駆動するレンズ装置が開示されている。
【先行技術文献】
【特許文献】
【０００３】
【特許文献１】特開２００４−２９４６８５号公報
【特許文献２】特開２００５−０１８０３５号公報
【発明の概要】
【発明が解決しようとする課題】
【０００４】
特許文献１に開示されテレビレンズは、設定値表示のための特別な機能を設ける必要があり、レンズ装置の主操作のためには使用することがなく、比較的使用頻度の低い、設定値表示・確認のために使用するための特別な装置構成を設けることは、レンズシステムの構成の複雑化・大型化を招き、好ましくない。また、特許文献２に開示された従来技術では、操作により機能の有効／無効が切り換ってしまうため、今現在、機能が有効に設定されているか否かの確認をすることができない。
【０００５】
本発明の目的は、レンズシステムの通常の撮影に使用される機能を用いて、レンズシステムの個体毎の設定値を確認及び設定することを可能にしたレンズ装置を提供することである。
【課題を解決するための手段】
【０００６】
上記目的を達成するために、本発明のレンズ装置は、前記レンズ装置を制御する制御手段と、前記制御手段に指令を入力する指令入力手段と、前記制御手段に接続された通信手段であって、前記レンズ装置に取り付け可能なカメラ装置と通信する通信手段と、前記レンズ装置の設定項目に対する設定値を記憶する記憶手段と、を有し、前記制御手段は、前記指令入力手段からの指令に従い、通常の撮影機能を維持したままで、前記通信手段を制御する通常モードと、前記指令入力手段からの指令に従い、通常の撮影機能を機能させない状態で、前記記憶手段に記憶されている設定項目の設定値に基づいて、前記レンズ装置の設定を確認するための情報を前記カメラ装置に出力するように前記通信手段を制御し、また、前記指令入力手段からの指令によって前記設定値を変更することができる、設定確認モードと、で、前記レンズ装置を制御することが可能である、ことを特徴とする。
【発明の効果】
【０００７】
本発明によれば、レンズシステムの通常の撮影に使用される機能を用いて、個体毎の設定値を確認することを可能にしたレンズ装置を提供することができる。
【図面の簡単な説明】
【０００８】
【図１】実施例１を示すブロック図
【図２】実施例１の設定項目αの設定値と、絞り位置の関係を示す表
【図３】実施例１を示すフローチャート
【図４】実施例２を示すブロック図
【図５】実施例２の各設定項目に対する設定値の関係を示す文字列の表
【図６】実施例２を示すフローチャート
【図７】実施例２の各設定項目に対する設定値の関係を示す数値の表
【図８】実施例３を示すブロック図
【図９】実施例３の各設定項目に対する設定値の関係を示す端子の表
【発明を実施するための形態】
【０００９】
以下に、本発明の好ましい実施の形態を、添付の図面に基づいて詳細に説明する。図１は、本発明の実施形態のレンズ装置の構成を示すブロック図である。
【実施例１】
【００１０】
以下、図１を参照して、本発明の第１の実施例による、レンズ装置の構成を示すブロック図について説明する。
【００１１】
本発明のレンズ装置は、カメラ本体に着脱可能なレンズシステム１０と、レンズ別体型カメラ４０から構成され、レンズ別体型カメラ４０は、レンズシステム１０を接続した状態で、映像の撮影を行うことができる。レンズシステム１０は絞り部１１を有し、絞り部１１の位置を変更することで、レンズ別体型カメラ４０で撮影する光の光量を調整することができる。
レンズシステム１０は、レンズシステム１０の制御を行うレンズ演算部１６を含む。
【００１２】
レンズ別体型カメラ４０は、レンズ演算部１６と通信できるカメラ演算部４１を含む。カメラ演算部４１は、レンズ演算部１６に対し、レンズシステム１０の制御要求や、状態取得要求を行うことができる。
【００１３】
位置検出部１２は、絞り部１１の位置の検出を行う。位置検出部１２はレンズ演算部１６に接続され、レンズ演算部１６は絞り部１１の位置を取得することができる。ここで、この絞り部１１は、複数の遮光羽根を持ち、開口径が可変な光彩絞りの開口径可変機構と連動する（機械的に連結されている、又はギア等で駆動機構が連結されている）ことが望ましい。また、この絞り部１１は、絞り部を手動で駆動する際に操作するアイリスリングとも連動していることが望ましい。
【００１４】
絞り部１１の位置は、ギア１５を介して接続されている駆動部１３によって変更することが可能である。駆動部１３はレンズ演算部１６に接続されており、レンズ演算部１６は駆動部１３の駆動を制御することができる。通常モードでは、レンズ演算部１６はレンズ別体型カメラ４０の制御要求に従い、絞り部１１の位置を変更する。ここでいう通常モードとは、通常通り撮影を行うことができるモードのことである。
【００１５】
ユーザーはサーボ・マニュアル切換え部１４を用いて、駆動部１３とギア１５の接続／解除を行うことができる。サーボ・マニュアル切換え部１４がサーボ状態では、駆動部１３とギア１５が接続され、レンズ演算部１６は駆動部１３を駆動制御して絞り部１１の位置を変更することができる。サーボ・マニュアル切換え部１４がマニュアル状態では、駆動部１３とギア１５の接続が解除され、ユーザーが絞り部１１を手動で操作することができる。
レンズ演算部１６に接続されている記憶部１７は、レンズシステム１０の設定値を記憶する。
【００１６】
レンズシステム１０は、レンズ演算部１６に接続されているスイッチ（指令入力手段）である、RET SW１９及びVTR SW２０を有する。レンズ演算部１６はこれら各スイッチのON/OFF状態を確認することが可能である。通常モードでは、レンズ演算部１６は各スイッチのON/OFF状態を、カメラ演算部４１からの状態取得要求に対して返信する。本発明の説明においては、放送用レンズ装置に比較的一般的に備えられている、撮影開始・終了を指令するVTR SW２０と、オンエア中の画面や他のカメラで撮影している画面のビューファインダへの表示を切り替えるRET SW１９を例示した。しかし、本発明は基本的にはスイッチに付与されている主目的とは関係なく、スイッチ機能のような入力機能があればよい。
【００１７】
なお、本発明において、レンズシステムが「通常モード」である状態とは、レンズシステムが通常の撮影機能の操作を行える状態のことを示す。また、設定確認モードは、ある特定の操作によって通常モードから移行するモードであって、設定確認モードにおいては、レンズシステムは通常の撮影機能は機能せず、レンズシステムの設定項目の設定値の設定・確認操作が行える状態のことを示す。また、この設定確認モードは、上述の設定項目の設定値を確認する確認モードと、その設定項目の設定値を変更する（設定し直す）設定モードとを含んでおり、この２つのモードのいずれか一方のみを実行することも可能である。以下の実施例においても、同様とする。
【００１８】
図２に示す表は、設定確認モードで使用する、記憶部１７に記憶されている設定項目αの設定値と、絞り位置の関係を示す。以下に示す設定・確認モード処理では、この表に従い絞り部１１の位置を駆動制御することで、設定項目αの設定値の確認を行うことが可能である。例えば、絞り部１１の位置がＦ８の場合、設定項目αの設定値は、設定値Ｂとなる。
【００１９】
以下、図３を参照して、本発明の第１の実施例による、設定確認モードの設定・確認モード処理を示すフローチャートについて説明する。
この処理は、レンズ演算部１６に格納されたコンピュータプログラムに従って行われる。ステップＳ１００にてレンズ演算部１６の設定・確認モード処理が開始される。なお、この設定・確認モード処理は、電源ＯＮ時に開始する。
【００２０】
ステップＳ１０１では、確認モードへの遷移が有効か否かの確認を行う。特に限定はしないが、例えばサーボ・マニュアル切換え部１４がサーボ状態で、かつRET SW１９が押されている場合は確認モードへ移行することが有効（選択されている）と判断する。確認モードへの遷移が有効な場合はステップＳ１０２に進み、それ以外の場合はステップＳ１０３に進む。
【００２１】
ステップＳ１０２では、図２に示す表に従い、記憶部１７に記憶した設定項目αの設定値に対応する絞り部１１の規定位置に、絞り部１１を駆動する。この動作により、絞り部１１を目視することにより、現在の設定項目αの設定値を確認することが可能となる。つまり、この時、絞り部は、もはやレンズ装置の絞り部としての機能ではなく、設定項目αの設定値を絞り位置で間接的に表現する表示部として機能させていることになる（確認モード）。
【００２２】
ステップＳ１０３では、設定モードへの遷移が有効か否かの確認を行う。特に限定はしないが、例えばサーボ・マニュアル切換え部１４がマニュアル状態で、かつRET SW１９が押されている場合は設定モードへ移行することが有効（選択されている）と判断する。設定モードへの遷移が有効な場合はステップＳ１０４に進み、それ以外の場合はステップＳ１０６に進む。
【００２３】
ステップＳ１０４では、図２に示す表に従い、絞り部１１を規定位置に手動で移動することにより設定項目αの設定値を選択し、その設定値に設定する設定操作を実行すると、ステップＳ１０５に進む。設定操作は特に規定はしないが、例えばRET SW１９とVTR SW２０を同時に押した時、設定操作実行と判断する。
【００２４】
ステップＳ１０５では、図２に示す表に従い、絞り部１１の位置に対応する設定値を、設定項目αの設定値として記憶部１７に記憶し、ステップＳ１０４に進む。この操作により、設定項目αの設定値を所望の値に設定することが可能となる（設定モード）。
ステップＳ１０６では、設定・確認モード処理を終了し、通常モードへ移行する。
【００２５】
このように制御することで、通常モードでは、絞り部１１はレンズ別体型カメラ４０の制御要求に従い駆動する。また、設定・確認モード処理が実行される設定確認モードでは、絞り部１１は記憶部１７に記憶した設定項目αの設定値と、サーボ・マニュアル切換え部１４、RET SW１９の操作に従い駆動する。
なお、本実施例では、電源ＯＮ時に設定・確認モード処理を開始したが、別途設定・確認モードに入るスイッチを設け、そのスイッチのＯＮ時に設定・確認モード処理を開始しても良い。
【００２６】
また、本実施例では、設定項目の設定値を確認することができるようにするための、レンズ演算部１６によって制御される被制御手段として絞り部１１を用いたが、不図示の焦点距離を調整するズーム部や、焦点状態を調整するフォーカス部を該被制御手段としても良い。
【００２７】
このように、本実施例のレンズ装置は、絞り等の光学部材と、この光学部材に連結され、光学部材を駆動するために操作する操作部材とを備えている。操作部材は、例えば、レンズ装置の外周に配置されたリング状の部材である。ここで、このレンズ装置は、レンズ装置の特定の設定値を確認するための確認モードでの動作が可能である。前述の実施例においては、通常モード（通常の撮影モード等）においては可変絞りを操作する、或いは絞りの値（Ｆナンバー）を確認するために用いていた操作部材（アイリスリング）が、確認モードにおいては別の設定項目を示している。ここでは、この操作部材が通常モードにおいて行う機能とは異なり、特定の設定値に対応した位置に移動することによって、特定の設定値（特定の項目に対して設定されている値）を表示している。
【００２８】
また、本実施例１においては、可変絞りを操作するための操作部材を用いて特定の項目に対する設定値を表示したがこの限りではない。例えば、前述したように変倍に際して移動する変倍レンズ群（ズーム部）を駆動するために操作するズームリングや、ピント調整（合焦動作）を行う際にフォーカスレンズ群を移動させるために操作するフォーカスリング等を操作部材として用いて、これらの操作部材を用いて、ズーム位置やフォーカス位置以外の設定値（検出値）を表示させても構わない。
【００２９】
このような本発明によれば、レンズシステムの通常の撮影に必要な最小限の機能を果たす部材を用いて、レンズシステムの個体毎の設定値を確認及び設定する（別の機能を果たさせる）ことを可能にしたレンズ装置を提供することができる。
【実施例２】
【００３０】
以下、図４を参照して、本発明の第２の実施例による、レンズ装置の構成を示すブロック図について説明する。特に詳細に記載しない点に関しては実施例１と同様である。
【００３１】
本実施例のレンズ装置は、レンズシステム１０及びレンズ別体型カメラ４０を含み、レンズ別体型カメラ４０は、レンズシステム１０を接続した状態で、映像の撮影を行うことができる。
レンズシステム１０は、レンズシステム１０の制御を行うレンズ演算部１６を有する。
【００３２】
レンズ別体型カメラ４０は、レンズ演算部１６との間で、例えば、シリアル通信等により、通信することが可能であるカメラ演算部４１を含む。この通信は、カメラ演算部４１又はレンズ演算部１６から、自由に切断することが可能である。カメラ演算部４１は、レンズ演算部１６に対し、レンズシステム１０の状態や、決められた文字列（例えばレンズシステム１０の名称等）の取得要求を行うことができる。
【００３３】
レンズ別体型カメラ４０は、カメラ演算部４１に接続されている、表示部４２を有する。通常モードでは、カメラ演算部４１は、レンズシステム１０から取得した決められた文字列（例えばレンズシステム１０の名称等）を、表示部４２に表示する。
【００３４】
レンズシステム１０は、レンズ演算部１６に接続されている記憶部１７を有する。記憶部１７はレンズシステム１０の設定値を記憶する。
レンズシステム１０は、指令入力手段として、レンズ演算部１６に接続されているスイッチであるRET SW１９及びVTR SW２０を有し、レンズ演算部１６はこれら各スイッチのON/OFF状態を確認することができる。通常モードでは、レンズ演算部１６は各スイッチのON/OFF状態を、カメラ演算部４１の状態取得要求に対して返信する。
【００３５】
さらに、レンズシステム１０は、指令入力手段の一つとして、レンズ演算部１６に接続されているスイッチであるIRIS SW１８を有し、レンズ演算部１６はスイッチのON/OFF状態を確認することが可能である。通常モードでは、レンズ演算部１６に接続した不図示の絞り部は、IRIS SW１８がON状態ではサーボで駆動し、OFF状態ではマニュアルで操作可能となる。
【００３６】
また、レンズシステム１０は、指令入力手段の一つとして、レンズ演算部１６に接続されているスイッチであるShot SW２１を有し、レンズ演算部１６はスイッチのON/OFF状態を確認することが可能である。通常モードでは、レンズ演算部１６に接続した不図示のズーム部は、Shot SW２１がONになると、特定のズーム位置に移動するように駆動制御される。
【００３７】
図５に示す表は、設定確認モードで使用する、記憶部１７に記憶されている各設定項目に対する設定値の関係を示す。例えば、設定項目αには、設定値A,B,Cの３種類の設定値があり、何れかの設定値が記憶されている。
【００３８】
以下に示す設定・確認モード処理では、カメラ演算部４１の決められた文字列の取得要求に対し、設定・確認モード文字列を返信する。設定・確認モード文字列とは、図５の表に示すNo.の中から、特定のNo.を表示対象として生成する文字列である。例えば、現在No.1で設定項目αが選択され、設定項目αの設定値が設定値Aの場合、設定・確認モード文字列は、「設定項目α：設定値A」、と生成される。例えば、設定項目の具体例として、絞り、ズーム、フォーカス等であり、それぞれに対応する、絞り値、ズーム位置、フォーカス位置が設定値である。
設定・確認モード文字列は決められた文字列として表示部４２に表示されるため、各設定項目に対する設定値の確認を行うことが可能となる。
【００３９】
以下、図６を参照して、本発明の第２の実施例による、設定確認モードの設定・確認モード処理を示すフローチャートについて説明する。
【００４０】
この処理は、レンズ演算部１６に格納されたコンピュータプログラムに従って行われる。ステップＳ２００にてレンズ演算部１６の設定・確認モード処理が開始される。なお、この設定・確認モード処理は、電源ＯＮ時に開始する。またこの時、設定確認モード設定を有効に設定する。
【００４１】
ステップＳ２０１では、カメラとの通信を一度切断した後、再接続し、ステップＳ２０２に進む。
ステップＳ２０２では、設定・確認モード設定が有効かの確認を行う。設定・確認モード設定が有効な場合はステップＳ２０３に進み、それ以外の場合はステップＳ２１１に進む。
【００４２】
ステップＳ２０３では、IRIS SW１８がONかの確認を行う。ONの場合はステップＳ２０４に進み、それ以外の場合はステップＳ２０５に進む。  ステップＳ２０４では、レンズ演算部１６は図５の表に示す設定項目No.をインクリメントする。例えば、現在No.2で設定項目βが選択されていた場合、No.3となり設定項目γが選択され、設定・確認モード文字列の表示する設定項目は設定項目γとなる。その後、ステップＳ２０１に進む。
【００４３】
ステップＳ２０５では、RET SW１９がONかの確認を行う。ONの場合はステップＳ２０６に進み、それ以外の場合はステップＳ２０７に進む。
ステップＳ２０６では、レンズ演算部１６は図５の表に示す設定項目No.をデクリメントする。例えば、現在No.２で設定項目βが選択されていた場合、No.1となり設定項目αが選択され、設定・確認モード文字列の表示する設定項目は設定項目αとなる。その後、ステップＳ２０１に進む。
ステップＳ２０７では、Shot SW２１がONかの確認を行う。ONの場合はステップＳ２０８に進み、それ以外の場合はステップＳ２０９に進む。
【００４４】
ステップＳ２０８では、レンズ演算部１６は、現時点で選択されている設定項目No.に対応する設定項目に設定されている設定値をインクリメントする。例えば、現在No.1で設定項目αが選択され、現設定値が設定値Bの場合、設定値はインクリメントされて設定値Cに設定される(図５参照)。その後、ステップＳ２０１に進む。
【００４５】
ステップＳ２０９では、VTR SW２０がONかの確認を行う。ONの場合はステップＳ２１０に進み、それ以外の場合はステップＳ２０３に進む。
ステップＳ２１０では、レンズ演算部１６は、現時点で選択されている設定項目No.に対応する設定項目に設定されている設定値をデクリメントする。例えば、現在No.1で設定項目αが選択され、現設定値が設定値Bの場合、設定値はデクリメントされて設定値Aに設定される（図５参照）。その後、ステップＳ２０１に進む。
ステップＳ２１１では、設定・確認モード処理を終了し、通常モードへ移行する。
【００４６】
なお、レンズ別体型カメラ４０のカメラ演算部４１は、通常モードにおいては、列属されているレンズ装置の名称等、表示部４２に表示する文字列の取得を、レンズシステム１０との通信開始時の１回のみ行うことが想定できる。本実施例は、この機能を利用して、レンズ装置の諸設定値を確認するものである。そのため、表示部４２に表示させる文字列を更新するため、ステップＳ２０１では、カメラとの通信を一度切断した後、再接続を行う。ステップＳ２０１を行う事で、カメラ演算部４１は、レンズシステム１０に対し表示部４２に表示するための文字列の取得要求を行う。この要求に応じて、レンズシステム１０のレンズ演算部１６はステップＳ２０４、Ｓ２０６、Ｓ２０８、Ｓ２１０で選択された設定項目No. 対応する設定項目及びその設定項目に設定された設定値からなる設定・確認モード文字列を生成してカメラ演算部４１に送信し、その文字列が表示部４２に表示されることになる。
【００４７】
また、図５の表に示すNo.4は、設定・確認モード処理を終了させる時に設定する設定項目である。設定・確認モード設定を無効に設定すると、ステップＳ２０２からステップＳ２１１に処理が進み、設定・確認モード処理が終了する。
【００４８】
このように制御することで、表示部４２には、通常モードでは決められた文字列（例えばレンズシステム１０の名称等）が表示され、設定・確認モード処理が実行される設定確認モードでは、IRIS SW１８、RET SW１９、VTR SW２０、Shot SW２１の操作に従い、記憶部１７に記憶した設定項目と設定値から生成した設定・確認モード文字列が、表示部４２に表示される。
【００４９】
本実施例では、設定項目の設定値を確認することができるようにするための、レンズ演算部１６によって制御される被制御手段として、レンズ演算部１６が有する通信手段（不図示）を使用した。表示部４２に決められた文字列を表示する機能を利用したが、図７の表に示すように、表示部４２にレンズ位置を表示する機能を利用しても良い。ここでは不図示のZoom部とFocus部の位置を数値で表示する機能を利用している。この場合、設定・確認モードの時、Zoom部に「１」と表示され、Focus部に「１」と表示された場合は、現在No.１で設定項目αが選択され、設定値が設定値Aということになる。また、この場合、カメラ演算部４１は、随時レンズ位置の情報を取得して表示を更新すると想定できるため、ステップＳ２０１ではカメラとの通信一度切断する動作を行わなくても良い。
【００５０】
本発明によれば、レンズシステムの通常の撮影に私用される機能を用いて、レンズシステムの個体毎の設定値を確認及び設定することを可能にしたレンズ装置を提供することができる。
【実施例３】
【００５１】
以下、図８を参照して、本発明の第３の実施例による、レンズ装置の構成を示すブロック図について説明する。特に詳細に記載しない点に関しては実施例１と同様である。
【００５２】
本実施例のレンズ装置は、レンズシステム１０及び不図示のレンズ別体型カメラからなり、レンズ別体型カメラは、レンズシステム１０を接続した状態で、映像の撮影を行うことができる。
【００５３】
レンズシステム１０は、レンズシステム１０の制御を行うレンズ演算部１６を有する。
また、レンズシステム１０はレンズ演算部１６に接続されている記憶部１７を含み、記憶部１７はレンズシステム１０の設定値を記憶する。
【００５４】
レンズシステム１０は、レンズ演算部１６に接続されているスイッチであるRET SW１９、VTR SW２０、IRIS SW１８、Shot SW２１を有し、実施例２で説明した動作と同等の動作を行う。つまり、設定項目の指定については、設定項目No,はIRIS SW１８でインクリメントされ、RET SW１９でデクリメントされ、指定された設定項目に対する設定値については、Shot SW２１でインクリメントされ、VTR SW２０でデクリメントされる。
【００５５】
レンズシステム１０は、レンズ演算部１６に接続されている端子であるRET出力部５１、VTR出力部５２を有する。通常モードでは、RET SW１９とVTR SW２０各々のスイッチON/OFF状態に連動し、RET出力部５１とVTR出力部５２の端子の出力電圧のHigh/Lowの状態が変更される。このRET出力部５１とVTR出力部５２の端子の出力電圧により、不図示のレンズ別体型カメラは、レンズシステムの各スイッチ状態を判断することができる。
【００５６】
レンズシステム１０はさらに、レンズ演算部１６に接続されている端子である絞り位置出力部５３を有する。通常モードでは、絞り位置出力部５３は、不図示の絞り部の位置に連動して電圧が変更される。例えば絞り位置がF2.8の場合は6.2[V]、F16の場合は3.4[V]となる。この端子により、不図示のレンズ別体型カメラは、レンズシステムの絞り部の位置を判断することができる。
【００５７】
図９に示す表は、設定確認モードで使用する、記憶部１７に記憶されている各設定項目に対する設定値の関係を示す。例えば、設定項目αには、設定値A,B,Cの設定値を設定することができ、何れかの設定値が記憶されている。
【００５８】
ここでは、設定項目No.をRET出力部５１とVTR出力部５２の出力電圧の組合せで表すとともに、その設定項目No.に対応する設定項目に設定されている設定値を絞り位置出力部５３で表している。例えば、RET出力部５１がLow、VTR出力部５２がLow、絞り位置出力部５３が3[V]の場合、現在の設定項目No.は１が選択され、対応する設定項目は「設定項目α」であって、設定項目αに設定されている設定値が設定値Ａということになる。
【００５９】
第２の実施例においては、レンズシステム１０とレンズ別体型カメラ４０との通信が成立した時に、レンズ別体型カメラ４０は初期情報として、接続されたレンズシステム１０を認識する文字列をレンズシステム１０から受信し表示部４２にその情報を表示する機能を利用して、レンズシステム１０の諸設定項目に設定されている設定値を表示した。本実施例においては、設定項目の設定値を確認することができるようにするための、レンズ演算部１６によって制御される被制御手段として、RET出力部５１、VTR出力部５２、絞り位置出力部５３を使用した。つまり、実施例３においては、レンズシステム１０からレンズ別体型カメラ４０に出力する情報として、RET出力部５１とVTR出力部５２のHighまたはLowの電圧の組合せにより設定項目を表す情報を出力し、絞り位置出力部５３の電圧によって該設定項目に対応する設定値を表す情報を出力する。
【００６０】
したがって、本発明の第３の実施例による、設定確認モードの設定・確認モード処理を示すフローチャートは、図６に示す本発明の第２の実施例によるものと同一であるが、この場合ステップＳ２０１ではカメラとの通信を一度切断する動作を行う必要はない。
【００６１】
このように制御することで、通常モードではRET出力部５１、VTR出力部５２及び絞り位置出力部５３の各出力端子には、通常の撮影機能の状態が反映される。また、設定・確認モード処理が実行される設定確認モードでは、IRIS SW１８、RET SW１９、VTR SW２０、Shot SW２１の操作に従い、記憶部１７に記憶した設定項目と設定値を反映した状態が各端子の状態となる。
【００６２】
本発明によれば、レンズシステムの通常の撮影に使用する機能を用いて、レンズシステムの個体毎の設定値を確認及び設定することを可能にしたレンズ装置を提供することができる。
【００６３】
さらに、撮像素子と、被写体からの光を該撮像素子に導く本発明のレンズ装置と、を備える撮像装置（カメラ装置）は、本発明の効果である、レンズ装置の通常の撮影に使用する機能を用いて、レンズ装置の個体毎の設定値を確認及び設定することができる、撮像装置を実現することができる。
以上、本発明の好ましい実施形態について説明したが、本発明はこれらの実施形態に限定されず、その要旨の範囲内で種々の変形及び変更が可能である。
【符号の説明】
【００６４】
１０  レンズシステム
１１  絞り部
１７  記憶部
１８  IRIS SW
１９  RET SW
２０  VTR SW
２１  Shot SW
５１  RET出力部
５２  VTR出力部
５３  絞り位置出力部
【図１】
0005968498.tif 000002
【図２】
0005968498.tif 000003
【図３】
0005968498.tif 000004
【図４】
0005968498.tif 000005
【図５】
0005968498.tif 000006
【図６】
0005968498.tif 000007
【図７】
0005968498.tif 000008
【図８】
0005968498.tif 000009
【図９】
0005968498.tif 000010